(57)【特許請求の範囲】
【請求項１】
フェース部と、クラウン部と、ソール部と、サイド部とを有する中空構造の金属製のヘッド本体を備えるゴルフクラブヘッドであって、
前記フェース部の裏面には、その中央部に、周辺部よりも厚肉である略円形状の中央厚肉部が設けられるとともに、前記中央厚肉部の周囲に、この中央厚肉部の外側にその中心を有する略円形の周辺厚肉部が前記中央厚肉部に接続することなく離間して設けられることを特徴とするゴルフクラブヘッド。
【請求項２】
前記中央厚肉部は、平坦状の上端面と、該上端面から周辺部の薄肉領域へと傾斜して延びる傾斜面とを有することを特徴とする請求項１に記載のゴルフクラブヘッド。
【請求項３】
前記周辺厚肉部は、平坦状の上端面と、該上端面から周辺部の薄肉領域へと傾斜して延びる傾斜面とを有することを特徴とする請求項１又は請求項２に記載のゴルフクラブヘッド。
【請求項４】
前記周辺厚肉部は、少なくとも、前記クラウン部のトウ側に位置する前記フェース部の角部付近と、前記ソール部のヒール側に位置する前記フェース部の角部付近とに配置されることを特徴とする請求項１から３のいずれか一項に記載のゴルフクラブヘッド。
【請求項５】
前記周辺厚肉部が前記フェース部の四隅付近の４箇所に設けられることを特徴とする請求項４に記載のゴルフクラブヘッド。
【請求項６】
前記フェース部のスイートスポットがフェースセンターよりも上側で前記中央厚肉部に位置されることを特徴とする請求項１から５のいずれか一項に記載のゴルフクラブヘッド。
【請求項７】
請求項１から６のいずれか一項に記載のゴルフクラブヘッドをシャフトの先端に止着して成ることを特徴とするゴルフクラブ。
【発明の詳細な説明】
【技術分野】
【０００１】
本発明は、ゴルフクラブに関し、詳細には、中空構造のゴルフクラブヘッド、および、そのようなゴルフクラブヘッドを有するゴルフクラブに関する。
【背景技術】
【０００２】
従来、中空構造の金属製ヘッドにおけるフェース部は、撓み易くすることで、打球時にボールの潰れが抑制され、これにより、ボール変形によるエネルギーロスを少なくして、飛距離の向上が図れることが知られている。したがって、飛距離の向上を図るためには、フェース部の中央領域を撓み易く構成すれば良いが、撓み易くするだけでは、フェース部の強度の低下を来す場合もある。そのため、従来から、フェース部の剛性や反発性を調整するべく、フェース部の裏面に厚肉部やリブを設けることが行なわれている。
【０００３】
例えば、特許文献１には、中空構造のゴルフクラブヘッドのフェース部の裏面に凹凸を設けて安定的な反発性能を有するように構成した偏肉フェースを伴うゴルフクラブヘッドが開示されている。具体的には、最も撓み易く強度が要求されるフェース部の中央部の裏面に、２つの中央肉厚部をトウ側とヒール側とにそれぞれ離間して設けるとともに、これらの２つの中央肉厚部からそれぞれフェース部の縁部に向けて傾斜の異なる２段階の傾斜面を延在させ、更に、２つの中央肉厚部からそれぞれクラウン側のフェース部縁部に向けて直線状のリブを形成している。
【先行技術文献】
【特許文献】
【０００４】
【特許文献１】特開２０１３−６６５３５号公報
【発明の概要】
【発明が解決しようとする課題】
【０００５】
しかしながら、特許文献１では、フェース部の中央部の裏面を補強するための２つの中央肉厚部に直線状のリブが接続されているため、これらのリブによってフェース部全体の撓みが規制されてしまい、高い反発性能を得ることが難しくなる一方、リブによって応力集中が生じやすくなり、リブの直線に沿ってフェース部が割れ易くなるという問題もある。
【０００６】
本発明は、上記した問題に着目してなされたものであり、高い反発性能を可能にしつつ十分な強度も確保できるフェース部を備えるゴルフクラブヘッドおよびゴルフクラブを提供することを目的とする。
【課題を解決するための手段】
【０００７】
上記した目的を達成するために、本発明は、フェース部と、クラウン部と、ソール部と、サイド部とを有する中空構造の金属製のヘッド本体を備えるゴルフクラブヘッドであって、前記フェース部の裏面には、その中央部に、周辺部よりも厚肉である略円形状の中央厚肉部が設けられるとともに、前記中央厚肉部の周囲に、この中央厚肉部の外側にその中心を有する略円形の周辺厚肉部が前記中央厚肉部に接続することなく離間して設けられることを特徴とする。
【０００８】
上記構成では、最も撓み易く強度が要求されるフェース部の中央部の裏面に、この部位の強度を高めるための中央厚肉部が設けられるとともに、この中央厚肉部の周囲に、中央厚肉部に接続することなく離間して周辺厚肉部が設けられるため、すなわち、リブなどによって中央厚肉部が周辺厚肉部と繋がらない分散型の厚肉部分布構造をとっているため、高い反発性能を可能にしつつ十分な強度も確保できる。
【０００９】
具体的には、フェース部を所望の撓み性を有する所望の肉厚で形成しつつ、最も撓み易い中央部を中央厚肉部で補強することにより、高い反発性能を可能にしつつ十分な強度を確保できるが、この場合、中央部の中央厚肉部を囲むように肉薄部が配置されるようにすることで、撓みを大きくできるとともに、周辺部を更に周辺厚肉部によって撓みすぎないように補強することで、全体を効果的に撓ませつつその要求される剛性も確保できる。特に、リブなどによって中央厚肉部が周辺厚肉部と接続されないため、フェース部の撓みが必要以上に規制されず、所望の高い反発性能を実現できる。また、中央厚肉部が略円形を成すため、打球時には、円に沿って応力が分散して作用し（応力集中が生じない）、円形に沿って撓むこととなり、結果として、フェース部の割れを防止できる。この場合、中央厚肉部及び／又は周辺厚肉部は、平坦状の上端面と、該上端面から周辺部の薄肉領域へと傾斜して延びる傾斜面とを有していることが好ましい。そのようにすると、傾斜面によって応力が広範囲に分散してほぼ均一に伝達され、フェース部全体の撓み性を向上させつつフェース部の割れを効果的に防止できる。
【００１０】
また、本発明では、上記構成を有するゴルフクラブヘッドをシャフトの先端に止着して成るゴルフクラブも提供される。なお、本明細書全体にわたって、「略円形」とは、真円以外に楕円形も含む。
【発明の効果】
【００１１】
本発明によれば、高い反発性能を可能にしつつ十分な強度も確保できるフェース部を備えるゴルフクラブヘッドおよびゴルフクラブを提供できる。
【図面の簡単な説明】
【００１２】
【図１】本発明の一実施形態に係るゴルフクラブの正面図である。
【図２】図１のゴルフクラブのゴルフクラブヘッド部分の正面図である。
【図３】図２のＡ−Ａ線に沿う断面図（縦断面図）である。
【図４】（ａ）はゴルフクラブヘッドのフェース部の一部を形成するフェース部材の溶接形態の第１の例を示す斜視図であり、（ｂ）はゴルフクラブヘッドのフェース部を含むフェース部材の溶接形態の第２の例を示す斜視図である。
【図５】分かり易くするためにフェース部の裏側に形成された肉厚段差が実線で描かれた、図２のゴルフクラブヘッドのフェース部の正面図である。
【図６】分かり易くするためにフェース部の裏側に形成された肉厚段差が実線で描かれた、フェース部の第１の変形例の正面図である。
【図７】分かり易くするためにフェース部の裏側に形成された肉厚段差が実線で描かれた、フェース部の第２の変形例の正面図である。
【図８】分かり易くするためにフェース部の裏側に形成された肉厚段差が実線で描かれた、フェース部の第３の変形例の正面図である。
【図９】分かり易くするためにフェース部の裏側に形成された肉厚段差が実線で描かれた、フェース部の第４の変形例の正面図である。
【図１０】分かり易くするためにフェース部の裏側に形成された肉厚段差が実線で描かれた、フェース部の第５の変形例の正面図である。
【発明を実施するための形態】
【００１３】
以下、図面を参照しながら、本発明に係るゴルフクラブの一実施形態について詳しく説明する。
ここで、図１〜図５は本発明に係るゴルフクラブの一実施形態を示し、図１はゴルフクラブの正面図、図２は、図１のゴルフクラブのゴルフクラブヘッド部分の正面図、図３は、図２のＡ−Ａ線に沿う断面図（縦断面図）、図４の（ａ）はゴルフクラブヘッドのフェース部の一部を形成するフェース部材の溶接形態の第１の例を示す斜視図、図４の（ｂ）はゴルフクラブヘッドのフェース部を含むフェース部材の溶接形態の第２の例を示す斜視図、図５は、分かり易く図示するためにフェース部の裏側に形成された肉厚段差が実線で描かれた、図２のゴルフクラブヘッドのフェース部の正面図である。
【００１４】
図１に示されるように、本実施形態に係るゴルフクラブ１は、金属やＦＲＰで構成されたシャフト５の先端に、基準水平面Ｐに対して規定のライ角αおよびロフト角β（図３参照）に設定された中空構造のゴルフクラブヘッド７を止着して構成されている。この場合、ヘッド７を構成するヘッド本体７Ａは、特に図２および図３に示されるように、打球が成されるフェース部７ａと、フェース部７ａの上縁から後方に延出するクラウン部（以下、トップともいう）７ｂと、フェース部７ａの下縁から後方に延出するソール部７ｃと、クラウン部７ｂおよびソール部７ｃの縁部を繋ぐサイド部７ｄと、このサイド部７ｄの後方側に位置するバック部７ｅとを備えている。なお、サイド部７ｄは、バック部７ｅを経由するトウ部７ｆおよびヒール部７ｇを備えている。
【００１５】
ヘッド本体７Ａは、例えば、チタン合金（Ti-6Al-4V,Ti-15V-3Cr-3Sn-3Al）、アルミ系合金、或いは、マグネシウム合金等を鋳造することで一体形成することができ、例えば図４の（ａ）に示されるように、そのフェース部７ａを規定する周縁部よりも内側に所定形状の開口８ａを形成しておき、該開口８ａに板状のフェース部材８（フェース部７ａの一部を形成する）を嵌合してその周囲を例えば溶接（図４の（ａ）にはその溶接線Ｌ２が破線で示される）により接合している。あるいは、図４の（ｂ）に示されるように、フェース部７ａを完全に含むカップ状のフェース部材８Ａをクラウン部７ｂ側で溶接してもよい（図４の（ｂ）にはその溶接線Ｌ３が破線で示される）。
【００１６】
この場合、ヘッド本体７Ａについては、それを構成する各部材（フェース部、クラウン部、ソール部、サイド部；外殻体）を個別に形成しておき、夫々を溶着、接着等によって固定したものであっても良いし、複数の部材、或いは各部材の部分的な構成要素を鋳造等で一体形成しておき、それらを溶着、接着等によって固定したものであっても良い。また、フェース部材は、例えば、チタン、チタン合金（Ti-15V-3Cr-3Sn-3Al，Ti-6Al-4V,SP700，Ti-15V-6Cr-4Al,Ti-15Mo-5Zr-3Al、Ti-30Nb-10Ta-5Zr等）を、プレス加工、ＣＮＣ加工或いは鍛造等することで板状またはカップ状に一体形成されており、例えば、レーザ溶接等の溶接、ろう付け、接着等によって、前記外殻体に接合されている。
【００１７】
ヘッド本体７Ａには、シャフト５の先端を止着するホーゼル部９が一体形成されている。シャフト５は、ホーゼル部９に形成されるソケット９ａのシャフト挿入孔（図示せず）を介して先端部を嵌合してホーゼル部９に止着されている。
【００１８】
フェース部７ａは、実際に打球が成される部分であり、図２に示されるように、正面から見た状態で上下を規定するトップ側エッジ７Ｐ、ソール側エッジ７Ｑ、トウ側エッジ７Ｒ、および、ヒール側エッジ７Ｓによって囲まれた領域として定義される（これらのエッジは、打球面の周囲において、バック側に屈曲される稜線となっている）。なお、図２では、各エッジは、屈曲して示されているが、これらのエッジ（稜線）が湾曲状に形成されている場合には、その湾曲頂部によってエッジが規定される。なお、フェース部７ａには、別途、スコアライン７Ｌ（図１参照）を形成しておいてもよく、また、フェース部７ａが明確になるように、色彩などによって色分けしてもよい。
【００１９】
フェース部７ａには、例えば、クラウン・ソール方向（以下、上下方向と称することもある）に沿って湾曲するロールが形成されると共に、トウ・ヒール方向（以下、左右方向と称することもある）に沿って湾曲するバルジが形成されており、両方の湾曲部の頂部領域には、フェース部７ａの中央（フェースセンター）Ｃが存在している。
【００２０】
ここで、フェース部７ａのフェースセンターＣの位置の特定方法について説明する。
まず、ヘッドを基準水平面Ｐに対して規定のライ角でセットして（図２参照）、上記したように定義されるトウ側エッジ７Ｒおよびヒール側エッジ７Ｓによってフェース部を把握した際の、トウ・ヒール方向において最大となる幅（最大幅Ｗ）を特定する。そして、特定された最大幅Ｗの中間点において、基準水平面Ｐに対して垂線Ｌ１を引き、トップ側エッジ７Ｐおよびソール側エッジ７Ｑと交差する点を、それぞれ７Ｐ´，７Ｑ´とする。この両点を結ぶ線分７Ｐ´，７Ｑ´の中点がフェースセンターＣとなる。
【００２１】
図３および図５には、本実施形態のフェース部７ａの構造が明確に示される。これらの図から分かるように、フェース部７ａは、その裏面の中央部に、周辺部よりも厚肉である円形状の円形中央厚肉部２０を有し、この円形中央厚肉部２０の周囲（フェース部７ａの裏面）には、円形中央厚肉部２０に接続することなく離間して少なくとも１つ（本実施形態では４つ）の周辺厚肉部２２，２４，２６，２８が設けられる。なお、前述したように、図５はフェース部７ａの正面図であるが、分かり易くするために、フェース部７ａの裏面に形成された肉厚段差（稜線）が実線で描かれている。
【００２２】
本実施形態において、円形中央厚肉部２０および周辺厚肉部２２，２４，２６，２８は、鋳造等によってフェース部７ａに一体形成されており、周辺厚肉部２２，２４，２６，２８は、円形中央厚肉部２０から外側に離間してフェース部７ａの四隅付近の４箇所に設けられる。具体的には、クラウン部７ｂのヒール部７ｇ側に位置するフェース部７ａの角部付近に第１の周辺厚肉部２２が配置され、ソール部７ｃのヒール部７ｇ側に位置するフェース部７ａの角部付近に第２の周辺厚肉部２４が配置されるとともに、クラウン部７ｂのトウ部７ｆ側に位置するフェース部７ａの角部付近に第３の周辺厚肉部２６が配置され、ソール部７ｃのトウ部７ｆ側に位置するフェース部７ａの角部付近に第４の周辺厚肉部２８が配置される。この場合、円形中央厚肉部２０と各周辺厚肉部２２，２４，２６，２８との間の最短離間距離は例えば２ｍｍ〜４ｍｍ、好ましくは４ｍｍに設定される。この離間距離は、全ての周辺厚肉部２２，２４，２６，２８において同じであってもよく、あるいは、異なってもよい。異なる場合には、その距離の差が３ｍｍ以内であることが好ましい。
【００２３】
円形中央厚肉部２０は、円形（あるいは、楕円形であってもよい）の平坦状の上端面２０ａと、上端面２０ａから周辺部の薄肉領域３０へと傾斜して延びるリング状（外形が円形（あるいは、楕円形））の傾斜面２０ｂとを有する。また、同様に、周辺厚肉部２２，２４，２６，２８も、円形（あるいは、楕円形であってもよい）の平坦状の上端面２２ａ，２４ａ，２６ａ，２８ａと、上端面２２ａ，２４ａ，２６ａ，２８ａから周辺部の薄肉領域３０へと傾斜して延びるリング状（外形が円形（あるいは、楕円形））の傾斜面２２ｂ，２４ｂ，２６ｂ，２８ｂ（例えば、薄肉領域３０との稜線（境界線）ｍの一部がフェース部７ａの周縁に接する）とを有する。この場合、円形中央厚肉部２０を囲むように平面状を成す薄肉領域３０の面に対する円形中央厚肉部２０の傾斜面２０ｂの傾斜角度は１．４°〜７°であることが好ましく、また、薄肉領域３０の面に対する周辺厚肉部２２，２４，２６，２８の傾斜面２２ｂ，２４ｂ，２６ｂ，２８ｂの傾斜角度は２°〜１５°であることが好ましい。また、薄肉領域３０の厚さは例えば２．２ｍｍに設定される。
【００２４】
また、薄肉領域３０の厚さを含めた円形中央厚肉部２０の厚さは、その上端面２０ａの部位で、例えば２．４ｍｍ〜２．８ｍｍに設定される。また、薄肉領域３０の厚さを含めた周辺厚肉部２２，２４，２６，２８の厚さは、その上端面２２ａ，２４ａ，２６ａ，２８ａの部位で、例えば２．２ｍ〜２．７ｍｍに設定され、特に、ゴルファーが球を打つ打点の一般的なばらつき方向であるクラウン部トウ側−ソール部ヒール側の方向に位置する第２および第３の周辺厚肉部２４，２６を厚くし、それ以外の２つの第１および第４の周辺厚肉部２２，２８を薄く設定することが好ましい。いずれにしろ、薄肉領域３０の平面と厚肉部２０，２２，２４，２６，２８の上端面２０ａ，２２ａ，２４ａ，２６ａ，２８ａとの高低差は０．２ｍｍ〜０．８ｍｍ、好ましくは０．５ｍｍに設定される。
【００２５】
なお、本実施形態において、薄肉領域３０の更にトウ部７ｆ側には、薄肉領域３０よりも薄い（フェース部７ａにおいて最も薄い）例えば２ｍｍ厚のトウ側薄肉領域３２が設けられる。これにより、フェースの軽量化が図れて、更にヘッドのつかまりを良くすることができる。また、本実施形態では、図５に示されるように、円形中央厚肉部２０の上下方向に、特に円形中央厚肉部２０の上端面２０ａの幅内の上下方向（図５に示される一点鎖線Ｌ４，Ｌ５間の範囲内）に、周辺厚肉部２２，２４，２６，２８が設けられないようになっている。そのようにすると、フェースセンター部の撓みを抑制しないようにすることができる。また、本実施形態において、撓み易いフェース部７ａのスイートスポットＳは、前述したフェースセンターＣよりも上側（特にヒール部７ｇ寄り）で円形中央厚肉部２０に位置される（図２参照）。このようにフェースセンターＣよりも上側のヒール部７ｇ寄りで円形中央厚肉部２０にスイートスポットＳを位置させると、撓み易くて割れ易いスイートスポットＳの部位で必要な強度を確保できるとともに、つかまりの良いヘッドにすることができる。
【００２６】
以上説明したように、本実施形態によれば、最も撓み易く強度が要求されるフェース部７ａの中央部の裏面に、この部位の強度を高めるための円形中央厚肉部２０が設けられるとともに、この円形中央厚肉部２０の周囲に、円形中央厚肉部２０に接続することなく離間して周辺厚肉部２２，２４，２６，２８が設けられるため、言い換えると、リブなどによって中央円形厚肉部２０が周辺厚肉部２２，２４，２６，２８と繋がらない分散型の厚肉部分布構造をとっているため、高い反発性能を可能にしつつ十分な強度も確保できる。
【００２７】
すなわち、本実施形態では、フェース部７ａを所望の撓み性を有する適切な肉厚で形成しつつ、最も撓み易い中央部を円形中央厚肉部２０で補強しているため、高い反発性能を可能にしつつ十分な強度を確保できるが、その場合、中央部の円形中央厚肉部２０を囲むように肉薄領域３０を配置することで、撓みを大きくできるとともに、周辺部を更に周辺厚肉部２２，２４，２６，２８によって撓みすぎないように補強することで、全体を効果的に撓ませつつその要求される剛性も確保できる。特に、リブなどによって中央円形厚肉部２０が周辺厚肉部２２，２４，２６，２８と接続されないため、フェース部７ａの撓みが必要以上に規制されず、所望の高い反発性能を実現できる。
【００２８】
また、円形中央厚肉部２０および周辺厚肉部２２，２４，２６，２８が円形（または楕円形）を成すため、打球時には、円に沿って応力が分散して作用し（応力集中が生じない）、円形に沿って撓むこととなり、結果として、フェース部７ａの割れを防止できる。更に、円形中央厚肉部２０および周辺厚肉部２２，２４，２６，２８は、平坦状の上端面２０ａ，２２ａ，２４ａ，２６ａ，２８ａと、該上端面２０ａ，２２ａ，２４ａ，２６ａ，２８ａから周辺部の薄肉領域３０へと傾斜して延びる傾斜面２０ｂ，２２ｂ，２４，２６，２８ｂとを有しているため、傾斜面２０ｂ，２２ｂ，２４，２６，２８ｂによって応力が広範囲に分散してほぼ均一に伝達され、したがって、フェース部７ａ全体の撓み性を向上させつつフェース部７ａの割れを効果的に防止できる。
【００２９】
図６には、フェース部７ａの第１の変形例が示されている。この場合も、図６は正面図であるが、分かり易くするためにフェース部７ａの裏側に形成された肉厚段差が実線で描かれている（以下、図１０まで同様）。
【００３０】
図示のように、この第１の変形例に係るフェース部７ａは、前述した実施形態と同様に、その裏面の中央部に、周辺部よりも厚肉である円形状（あるいは、楕円形であってもよい）の円形中央厚肉部２０を有し、この円形中央厚肉部２０の周囲には、フェース部７ａの四隅付近の４箇所に、円形中央厚肉部２０に接続することなく離間して４つの周辺厚肉部２２’，２４’，２６’，２８’が設けられる。すなわち、クラウン部７ｂのヒール部７ｇ側に位置するフェース部７ａの角部付近に第１の周辺厚肉部２２’が配置され、ソール部７ｃのヒール部７ｇ側に位置するフェース部７ａの角部付近に第２の周辺厚肉部２４’が配置されるとともに、クラウン部７ｂのトウ部７ｆ側に位置するフェース部７ａの角部付近に第３の周辺厚肉部２６’が配置され、ソール部７ｃのトウ部７ｆ側に位置するフェース部７ａの角部付近に第４の周辺厚肉部２８’が配置される。
【００３１】
また、円形中央厚肉部２０は、前述した実施形態と同様に、円形（あるいは、楕円形）の平坦状の上端面２０ａと、上端面２０ａから周辺部の薄肉領域３０へと傾斜して延びるリング状（外形が円形（あるいは楕円形））の傾斜面２０ｂとを有する。また、周辺厚肉部２２’，２４’，２６’，２８’は、円形（あるいは、楕円形）の平坦状の上端面２２ａ’，２４ａ’，２６ａ’，２８ａ’と、上端面２２ａ’，２４ａ’，２６ａ’，２８ａ’から周辺部の薄肉領域３０へと傾斜して延びるとともに薄肉領域３０との稜線（境界線）ｍが略半円状（略扇形状）を成す傾斜面２２ｂ’，２４ｂ’，２６ｂ’，２８ｂ’とを有する。なお、傾斜面２２ｂ’，２４ｂ’，２６ｂ’，２８ｂ’は、稜線ｍが略半円状でなくてもよく、例えば曲率の異なる複数の円弧を繋ぎ合わせた稜線形状を成してもよい。なお、それ以外の構成は、前述した実施形態と同様であり、また、各厚肉部の厚さ、各傾斜面の傾斜角、および、円形中央厚肉部と各周辺厚肉部との間の離間距離などに関しても前述した実施形態と同様である。
【００３２】
なお、上記構成において、周辺厚肉部２２’，２４’，２６’，２８’は４箇所に設けられている必要はなく、例えば、図７の第２の変形例に示されるように第１の周辺厚肉部２２’が省かれてもよく、あるいは、図８の第３の変形例に示されるように第４の周辺厚肉部２８’が省かれてもよい。また、図９の第４の変形例に示されるように第１および４の周辺厚肉部２２’，２８’が省かれてもよい。すなわち、ゴルファーが球を打つ打点の一般的なばらつき方向であるクラウン部トウ側−ソール部ヒール側の方向に位置する第２および第３の周辺厚肉部２４’，２６’だけが設けられてもよい。更には、周辺厚肉部２２’，２４’，２６’，２８’（前述した実施形態の周辺厚肉部２２，２４，２６，２８も同様）は、図１０に示される周辺厚肉部２２”，２４”，２６”，２８”のように、円形（あるいは、楕円形）の平坦状の上端面２２ａ’，２４ａ’，２６ａ’，２８ａ’を有さず、上端が頂点Ｔとして形成される円錐状を成してもよい。
【００３３】
以上、本発明の実施形態について説明したが、本発明は、前述した実施形態に限定されず、その要旨を逸脱しない範囲で種々変形して実施可能である。例えば、前述した実施形態では、各厚肉部は、傾斜面を有しているが、傾斜面を有さなくても構わない。また、前述した実施形態では、各周辺厚肉部がフェース部の四隅の近傍に位置されているが、その配置位置は限定されない。要は、円形中央厚肉部の周囲に離間して周辺厚肉部が位置されていればよい。また、円形中央厚肉部の周囲に設けられる周辺厚肉部の数も任意（２〜４個に限定されない）である。
【符号の説明】
【００３４】
１  ゴルフクラブ
５  シャフト
７  ゴルフクラブヘッド
７ａ  フェース部
７ｂ  クラウン部
７ｃ  ソール部
７ｄ  サイド部
７Ａ  ヘッド本体
２０  円形中央厚肉部
２０ａ  上端面
２０ｂ  傾斜面
２２，２４，２６，２８  周辺厚肉部
２２ａ，２４ａ，２６ａ，２８ａ  上端面
２２ｂ，２４ｂ，２６ｂ，２８ｂ  傾斜面
２２’，２４’，２６’，２８’  周辺厚肉部
２２ａ’，２４ａ’，２６ａ’，２８ａ’  上端面
２２ｂ’，２４ｂ’，２６ｂ’，２８ｂ’傾斜面
３０  薄肉領域
Ｃ  フェースセンター
Ｓ  スイートスポット
【図１】
0006339510.tif 000002
【図２】
0006339510.tif 000003
【図３】
0006339510.tif 000004
【図４】
0006339510.tif 000005
【図５】
0006339510.tif 000006
【図６】
0006339510.tif 000007
【図７】
0006339510.tif 000008
【図８】
0006339510.tif 000009
【図９】
0006339510.tif 000010
【図１０】
0006339510.tif 000011